(57)【特許請求の範囲】
【請求項１】
スキージ面側から被印刷面側に貫通する印刷パターン開口部が一層目に形成され、前記印刷パターン開口部は、一方向のラインとこれと直交する他方向のラインとの交差部が十字形又はＬ字形又はＴ字形となる部分を含む縦横方向のライン開口パターンであり、版枠の内側に張設されたスクリーン紗の中央部に固定されているスクリーン印刷用メタルマスクであって、
一層目に形成される前記縦横方向のライン開口パターンの前記交差部の開口部面積を、交差部以外の他の部分の開口部面積よりも小さくなるように構成し、一層目のライン開口パターンの一層目ブリッジの下に片持ち形の二層目ブリッジを互い違いに形成したことを特徴とするスクリーン印刷用メタルマスク。
【請求項２】
スキージ面側から被印刷面側に貫通する印刷パターン開口部が一層目に形成され、前記印刷パターン開口部は、一方向のラインとこれと直交する他方向のラインとの交差部が十字形又はＬ字形又はＴ字形となる部分を含む縦横方向のライン開口パターンであり、版枠の内側に張設されたスクリーン紗の中央部に固定されているスクリーン印刷用メタルマスクであって、
一層目に形成される前記縦横方向のライン開口パターンの前記交差部の開口部面積を、交差部以外の他の部分の開口部面積よりも小さくなるように構成し、一層目のライン開口パターンの一層目ブリッジの下に片持ち形の二層目ブリッジを互い違いに形成し、一層目の交差部の下に二層目筋交いブリッジを形成し、かつ前記メタルマスクの被印刷面側に三層目として前記縦横方向のライン開口パターンに沿ってその両側に凸部を形成することにより、スクリーン印刷時にライン開口パターンの下方に印刷材料の通路となる凹部を形成したことを特徴とするスクリーン印刷用メタルマスク。
【請求項３】
一方向のラインとこれと直交する他方向のラインとの交差部が十字形の場合は、縦横方向のライン開口パターンの交差部の開口部面積を、交差部以外の他の部分の開口部面積の１／３〜１／４にしたことを特徴とする請求項１又は請求項２記載のスクリーン印刷用メタルマスク。
【請求項４】
一方向のラインとこれと直交する他方向のラインとの交差部がＬ字形又はＴ字形の場合は、縦横方向のライン開口パターンの交差部の開口部面積を、交差部以外の他の部分の開口部面積の１／２〜１／３にしたことを特徴とする請求項１又は請求項２記載のスクリーン印刷用メタルマスク。
【請求項５】
縦横方向のライン開口パターンの交差部がＬ字形の場合は、一方の矩形状又は長方形状の開口の先端部をＬ字形の交差部先端に達するまで延長させ、これと直交する他方の矩形状又は長方形状の開口の先端部をＬ字形の交差部の前で所定の間隔を置いて止めておくことが、Ｌ字形の交差部の隣接間で交互に行われていることを特徴とする請求項１又は請求項２記載のスクリーン印刷用メタルマスク。
【請求項６】
縦横方向のライン開口パターンの交差部がＬ字形の場合は、一方の矩形状又は長方形状の開口の先端を先細にした舟形状の開口にしてＬ字形の交差部先端の直前に達するまで延長させるとともに、これと直交する他方の矩形状又は長方形状の開口の先端を先細にした舟形状の開口にしてＬ字形の交差部の前で所定の間隔を置いて止めておくことを特徴とする請求項１又は請求項２記載のスクリーン印刷用メタルマスク。
【請求項７】
一方の舟形状の開口は先端を片刃形状とし、これと直交する他方の舟形状の開口の先端を両刃形状としたことを特徴とする請求項６記載のスクリーン印刷用メタルマスク。
【請求項８】
縦横方向のライン開口パターンの交差部が井桁形の場合は、井桁の４個所で十字形に交差するように配置される４個の矩形状又は長方形状の開口の先端を先細にした舟形状の開口にして十字形の交差部で所定の間隔を置いて四方向から突き合わせたことを特徴とする請求項１又は請求項２記載のスクリーン印刷用メタルマスク。
【発明の詳細な説明】
【技術分野】
【０００１】
この発明は、スクリーン印刷用メタルマスクに関するものである。
【背景技術】
【０００２】
従来、イメージセンサ、ＭＥＭＳ（Ｍｉｃｒｏ  Ｅｌｅｃｔｒｏ  Ｍｅｃｈａｎｉｃａｌ  Ｓｙｓｔｅｍ）、液晶表示材料等の電子部品の分野では、電子部品を保護（封止）するための保護カバー封止用の接着材リブ等からなる印刷材料をスクリーン印刷技術により形成する方法が採用されており、電子部品の周辺全体を囲むように四角形状の閉じたラインに形成することが行われている。しかし、保護カバーを接着層部にて接着した際、印刷材料である接着材のダレにより、印刷される印刷材料からなるラインが交差する角部（コーナー部）の形状を正確に再現することは難しく、該ラインが交差する角部においては、印刷材料（接着材等）が、イメージセンサや液晶表示部等の電子部品に触れ、不良の原因となっていた。このため、ライン開口パターンの各角部の開口内側に開口凹みを設けることにより、角部において、接着材が内側のイメージセンサや液晶表示部等の電子部品に接触することがないようにしたスクリーン印刷版が提案されている（例えば、特許文献１参照）。
【０００３】
また、被印刷物上に目的の印刷パターンを形成するための印刷材料を吐出する開口部が設けられたスクリーン印刷版であって、この開口部は帯状であり、開口部が印刷方向に対して平行な方向から垂直な方向に角度をもって曲折する折曲部の角が、丸みをおびた形状を有し、また、印刷方向に対して、垂直な方向に配置されている帯状の開口部の幅が、目的の印刷パターンより細くして、スクリーン印刷時の印刷滲みによる導電パターンのリークを抑制するスクリーン印刷版が提案されている（例えば、特許文献２参照）。
【先行技術文献】
【特許文献】
【０００４】
【特許文献１】特開２００８−２３７１６号公報
【特許文献２】特開２００９−７２９９４号公報
【発明の概要】
【発明が解決しようとする課題】
【０００５】
従来のスクリーン印刷版では、縦横方向のライン開口パターンの各角部の開口内側に開口凹みを設けることにより、角部において、接着材が内側のイメージセンサや液晶表示部等の電子部品に接触することがないようにしているが、開口外側を良好な直角形状にするものではなく、開口外側については全く考慮がなされていない。また、印刷方向に対して、垂直な方向に配置されている帯状の開口部の幅が、目的の印刷パターンより細くして、スクリーン印刷時の印刷滲みによる導電パターンのリークを抑制する従来のスクリーン印刷版では、垂直な方向と水平な方向との交差部において印刷材料の供給量が他の部分よりも過剰に供給されてしまうという問題点は解決されていない。
【０００６】
この発明は、上述のような課題を解決するためになされたもので、一方向のラインとこれと直交する他方向のラインとの交差部が十字形又はＬ字形又はＴ字形となる部分を含む縦横方向のライン開口パターンを有するものであって、スクリーン印刷時の交差部における印刷材料の印刷量が他の部分よりも過剰に供給されないように改善したスクリーン印刷用メタルマスクに関するものである。
【課題を解決するための手段】
【０００７】
この発明に係るスクリーン印刷用メタルマスクにおいては、スキージ面側から被印刷面側に貫通する印刷パターン開口部が一層目に形成され、印刷パターン開口部は、一方向のラインとこれと直交する他方向のラインとの交差部が十字形又はＬ字形又はＴ字形となる部分を含む縦横方向のライン開口パターンであり、版枠の内側に張設されたスクリーン紗の中央部に固定されているスクリーン印刷用メタルマスクであって、一層目に形成される前記縦横方向のライン開口パターンの前記交差部の開口部面積を、交差部以外の他の部分の開口部面積よりも小さくなるように構成し、一層目のライン開口パターンの一層目ブリッジの下に片持ち形の二層目ブリッジを互い違いに形成したものである。
【０００８】
また、スキージ面側から被印刷面側に貫通する印刷パターン開口部が一層目に形成され、印刷パターン開口部は、一方向のラインとこれと直交する他方向のラインとの交差部が十字形又はＬ字形又はＴ字形となる部分を含む縦横方向のライン開口パターンであり、版枠の内側に張設されたスクリーン紗の中央部に固定されているスクリーン印刷用メタルマスクであって、一層目に形成される縦横方向のライン開口パターンの交差部の開口部面積を、交差部以外の他の部分の開口部面積よりも小さくなるように構成し、一層目のライン開口パターンの一層目ブリッジの下に片持ち形の二層目ブリッジを互い違いに形成し、一層目の交差部の下に二層目筋交いブリッジを形成し、かつメタルマスクの被印刷面側に三層目として縦横方向のライン開口パターンに沿ってその両側に凸部を形成することにより、スクリーン印刷時にライン開口パターンの下方に印刷材料の通路となる凹部を形成したものである。
【０００９】
また、縦横方向のライン開口パターンの交差部がＬ字形の場合は、一方の矩形状又は長方形状の開口の先端部をＬ字形の交差部先端に達するまで延長させ、これと直交する他方の矩形状又は長方形状の開口の先端部をＬ字形の交差部の直前で所定の間隔を置いて止めておくことが、Ｌ字形の交差部の隣接間で交互に行われているものである。
【００１０】
また、縦横方向のライン開口パターンの交差部がＬ字形の場合は、一方の矩形状又は長方形状の開口の先端を先細にした舟形状の開口にしてＬ字形の交差部先端の前に達するまで延長させるとともに、これと直交する他方の矩形状又は長方形状の開口の先端を先細にした舟形状の開口にしてＬ字形の交差部の直前で所定の間隔を置いて止めておくものである。
【００１１】
また、一方の舟形状の開口は先端を片刃形状とし、これと直交する他方の舟形状の開口の先端を両刃形状としたものである。
【００１２】
また、縦横方向のライン開口パターンの交差部が井桁形の場合は、井桁の４個所で十字形に交差するように配置される４個の矩形状又は長方形状の開口の先端を先細にした舟形状の開口にして十字形の交差部で所定の間隔を置いて四方向から突き合わせたものである。
【発明の効果】
【００１３】
この発明によれば、一方向のラインとこれと直交する他方向のラインとの交差部が十字形又はＬ字形又はＴ字形となる部分を含む縦横方向のライン開口パターンを有するものであっても、スクリーン印刷時の交差部における印刷材料の印刷量が他の部分よりも過剰に供給されてしまうという問題点を改善できるという効果がある。
【図面の簡単な説明】
【００１４】
【図１】この発明の実施例１におけるスクリーン印刷用メタルマスク版をスキージ面側から見た斜視図である。
【図２】この発明の実施例１におけるスクリーン印刷用メタルマスクの縦横方向のライン開口パターンの配置構造を示す要部拡大斜視図である。
【図３】この発明の実施例１におけるスクリーン印刷用メタルマスクの縦横方向のライン開口パターンの配置形状を示す要部拡大平面図である。
【図４】この発明の実施例１におけるスクリーン印刷用メタルマスク（二層構造）を被印刷面側から見た要部拡大斜視図である。
【図５】この発明の実施例２におけるスクリーン印刷用メタルマスク（三層構造）を被印刷面側から見た要部拡大斜視図である。
【図６】この発明の実施例３におけるスクリーン印刷用メタルマスクの縦横方向のライン開口パターンの配置構造を示す要部拡大斜視図である。
【図７】この発明の実施例３におけるスクリーン印刷用メタルマスクの縦横方向のライン開口パターンの配置形状を示す要部拡大平面図である。
【図８】この発明の実施例３におけるスクリーン印刷用メタルマスクの二層構造を被印刷面側から見た要部拡大底面図である。
【図９】この発明の実施例４におけるスクリーン印刷用メタルマスクの縦横方向のライン開口パターンの配置構造を示す要部拡大斜視図である。
【図１０】この発明の実施例４におけるスクリーン印刷用メタルマスクの縦横方向のライン開口パターンの配置形状を示す要部拡大平面図である。
【図１１】この発明の実施例４におけるスクリーン印刷用メタルマスクの二層構造を被印刷面側から見た要部拡大底面図である。
【図１２】この発明の実施例５におけるスクリーン印刷用メタルマスクの縦横方向のライン開口パターンの配置構造を示す要部拡大斜視図である。
【図１３】この発明の実施例５におけるスクリーン印刷用メタルマスクの縦横方向のライン開口パターンの配置形状を示す要部拡大平面図である。
【図１４】この発明の実施例５におけるスクリーン印刷用メタルマスクの二層構造を被印刷面側から見た要部拡大底面図である。
【発明を実施するための形態】
【実施例１】
【００１５】
図１はこの発明の実施例１におけるスクリーン印刷用メタルマスク版をスキージ面側から見た斜視図、図２はスクリーン印刷用メタルマスクの縦横方向のライン開口パターンの配置構造を示す要部拡大斜視図、図３はスクリーン印刷用メタルマスクの縦横方向のライン開口パターンの配置形状を示す要部拡大平面図、図４はこの発明の実施例１におけるスクリーン印刷用メタルマスク（二層構造）を被印刷面側から見た要部拡大斜視図である。
【００１６】
図において、１はアルミニウム材料等で四角形の枠状に構成された版枠、２は版枠１の内側に張設されたスクリーン紗である。このスクリーン紗２は、例えばステンレス等の網状体からなる金属製スクリーン紗でも良いし、テトロン、ポリエステル等の網状体からなる樹脂製スクリーン紗でも良い。３は一方向のラインとこれと直交する他方向のラインとの交差部が十字形又はＬ字形又はＴ字形となる部分を含む縦横方向のライン開口パターン４が一層目に設けられた二層構造のメタルマスクであり、スクリーン紗２の中央部に接着固定されている。このメタルマスク３は、スキージ（図示せず）の移動方向（図示矢印Ａの方向）に対して縦横方向のライン開口パターン４の一方向のラインとこれと直交する他方向のラインが略４５°の角度となるように設けられている。また、このメタルマスク３は、二層目として、被印刷面側に縦横方向のライン開口パターン４に沿ってその両側に帯状の凸部５を形成している。そして、この帯状の凸部５によって両側を挟まれたライン開口パターン４の下方には印刷材料である接着剤の通路となる凹部が形成されている。なお、凸部５は帯状でなく間欠状であっても良い。
【００１７】
この発明によるスクリーン印刷用メタルマスク３の一層目に形成される縦横方向のライン開口パターン４は、図２及び図３に示すように、一方向のラインとこれと直交する他方向のラインが延びる方向に沿って２列ずつ等間隔に略矩形状又は長方形状の開口４ａが規則正しく複数個配置されている。しかし、十字形の交差部（交点）では、スクリーン印刷時の交差部における印刷材料の印刷量が他の部分よりも過剰に供給されないような考慮が払われている。すなわち、十字形の交差部（交点）では、交差部以外の部分の開口部面積の約１／３〜１／４の開口部面積となるように開口パターンの一部を塞いで無くすようにしている。ここでは、交差部の開口部面積を約１／３〜１／４にする方法として、スキージ移動方向Ａの交差部位に位置する開口を塞いで、スキージ移動方向Ａと直交する交差部位に位置する開口を４個の直角三角形状の開口４ｂとし、交差部中央を中心点として点対称となるように配置している。このように交差部を４個の直角三角形状の開口４ｂのみとし、他の開口を塞ぐことにより、スクリーン印刷時の交差部における印刷材料の印刷量が他の部分よりも過剰に供給されないように改善することができる。なお、この場合、一方向のラインとこれと直交する他方向のラインとの交差部が十字形又はＬ字形又はＴ字形となる部分を含む縦横方向のライン開口パターン４は、図２に示すように、スキージの移動方向に対して一方向のラインとこれと直交する他方向のラインが４５°の角度となるように版枠の内側に張設されたスクリーン紗の中央部に固定するのが好ましい。また、この発明によるスクリーン印刷用メタルマスク３の二層目に形成される帯状の凸部５は、図４に示すように、メタルマスク３の被印刷面側に縦横方向のライン開口パターン４に沿ってその両側に形成される。そして、この帯状の凸部５によって両側を挟まれたライン開口パターン４の下方には印刷材料である接着剤の通路となる凹部が形成されている。なお、凸部５は帯状でなく間欠状であっても良い。
【実施例２】
【００１８】
図５はこの発明の実施例２におけるスクリーン印刷用メタルマスク（三層構造）を被印刷面側から見た要部拡大斜視図である。
【００１９】
上記実施例１では、二層構造のメタルマスクについて説明したが、この実施例２においては、三層構造のメタルマスクについて説明する。
この三層構造のメタルマスクは、一層目と三層目とが実施例１における一層目と二層目と同一構造であり、二層目が新規に追加されたものである。すなわち、図５に示すように、一層目には実施例１と同様の縦横方向のライン開口パターン４が形成され、三層目には実施例１と同様の帯状の凸部５が形成される。そして、一層目と三層目の間には二層目として、一層目のライン開口パターン４の一層目ブリッジの下に２種類の二層目ブリッジ６ａが互い違いに半分だけ形成される。ここで、１種類の二層目ブリッジ６ａは、一側から中央に向かって延びてその中央部で終わる片持ち形の二層目ブリッジ６ａであり、もう１種類の二層目ブリッジ６ａは、他側から中央に向かって延びてその中央部で終わる片持ち形の二層目ブリッジ６ａであり、互い違いに片持ち形となるように片架け式にされている。また、一層目の交差部（交点）の下には二層目筋交いブリッジ６ｂを設けることにより、交差部以外の部分の体積の約１／３〜１／４の体積となるようにしている。
【実施例３】
【００２０】
図６はこの発明の実施例３におけるスクリーン印刷用メタルマスクの縦横方向のライン開口パターンの配置構造を示す要部拡大斜視図、図７はスクリーン印刷用メタルマスクの縦横方向のライン開口パターンの配置形状を示す要部拡大平面図、図８はスクリーン印刷用メタルマスクの二層構造を被印刷面側から見た要部拡大底面図である。
【００２１】
この発明によるスクリーン印刷用メタルマスクの縦横方向のライン開口パターン４は、図６及び図７に示すように、一方向のラインを構成する上下両端部が丸い略長方形状の開口４ｃと、これと直交する他方向のラインを構成する左右両端部が丸い略長方形状の開口４ｄとで構成されており、４個所でＬ字形に交差するように配置されている。この場合、一方向のラインを構成する上下両端部が丸い略長方形状の開口４ｃと、これと直交する他方向のラインを構成する左右両端部が丸い略長方形状の開口４ｄとを含む縦横方向のライン開口パターン４は、図６及び図７に示すように、スキージの移動方向に対して一方向のラインを構成する開口４ｃが直交し、他方向のラインを構成する開口４ｄが平行となるように版枠の内側に張設されたスクリーン紗の中央部に固定するのが好ましい。しかし、Ｌ字形の交差部では、スクリーン印刷時の交差部における印刷材料の印刷量が他の部分よりも過剰に供給されないような考慮が払われている。すなわち、Ｌ字形の交差部（交点）では、交差部以外の部分の開口部面積の約１／２の開口部面積となるようにしている。ここでは、交差部の開口部面積を約１／２にする方法として、Ｌ字形の交差部では、一方の略長方形状の開口４ｃ又４ｄの先端部をＬ字形の交差部先端に達するまで延長させ、これと直交する他方の略長方形状の開口４ｄ又は４ｃの先端部をＬ字形の交差部の前で所定の間隔を置いて止めておくことが、Ｌ字形の交差部の隣接間で交互に行われている。そして、このようにＬ字形の交差部先端に達するまで先端部を延長させた一方の略長方形状の開口４ｃ又４ｄと直交する他方の略長方形状の開口４ｄ又は４ｃの先端部をＬ字形の交差部の前で所定の間隔を置いて止めておくことが、Ｌ字形の交差部の隣接間で交互に行われていることにより、スクリーン印刷時の交差部における印刷材料の印刷量が他の部分よりも過剰に供給されないように改善することができる。なお、端部が丸い略長方形状の開口４ｃ、４ｄは、端部が丸い略矩形状の開口であっても良い。また、メタルマスク３の二層目に形成される帯状の凸部５は、図８に示すように、メタルマスク３の被印刷面側に縦横方向のライン開口パターン４に沿ってその両側に形成される。そして、この帯状の凸部５によって両側を挟まれたライン開口パターン４の下方には印刷材料である接着剤の通路となる凹部が形成されている。
【実施例４】
【００２２】
図９はこの発明の実施例４におけるスクリーン印刷用メタルマスクの縦横方向のライン開口パターンの配置構造を示す要部拡大斜視図、図１０はスクリーン印刷用メタルマスクの縦横方向のライン開口パターンの配置形状を示す要部拡大平面図、図１１はスクリーン印刷用メタルマスクの二層構造を被印刷面側から見た要部拡大底面図である。
【００２３】
この発明によるスクリーン印刷用メタルマスクの縦横方向のライン開口パターン４は、図９及び図１０に示すように、一方向のラインとこれと直交する他方向のラインが延びる方向に沿って１列等間隔に略長方形状の開口４ｅが規則正しく複数個配置されている。この場合、一方向のラインとこれと直交する他方向のラインに形成される開口４ｅ、４ｆ、４ｇからなる縦横方向のライン開口パターン４は、図９及び図１０に示すように、スキージの移動方向に対して一方向のラインを構成する開口４ｅ、４ｇが直交し、他方向のラインを構成する開口４ｅ、４ｆが平行となるように版枠の内側に張設されたスクリーン紗の中央部に固定するのが好ましい。しかし、Ｌ字形の交差部では、スクリーン印刷時の交差部における印刷材料の印刷量が他の部分よりも過剰に供給されないような考慮が払われている。すなわち、Ｌ字形の交差部（交点）では、交差部以外の部分の開口部面積の約１／２の開口部面積となるようにしている。ここでは、交差部の開口部面積を約１／２にする方法として、Ｌ字形の交差部では、一方の略長方形状の開口の先端を片刃形状とした略舟形状の開口４ｆにしてＬ字形の交差部先端の前に達するまで延長させるとともに、これと直交する他方の略長方形状の開口の先端を両刃形状とした略舟形状の開口４ｇにしてＬ字形の交差部の前で所定の間隔を置いて止めておくことにしている。そして、このように一方の略長方形状の開口の先端を片刃形状とした略舟形状の開口４ｆにしてＬ字形の交差部先端の前に達するまで延長させるとともに、これと直交する他方の略長方形状の開口の先端を両刃形状とした略舟形状の開口４ｇにしてＬ字形の交差部の前で所定の間隔を置いて止めておくことにより、スクリーン印刷時の交差部における印刷材料の印刷量が他の部分よりも過剰に供給されないように改善することができる。なお、略長方形状の開口４ｅは略矩形状の開口であっても良いし、略舟形状の開口４ｇ、４ｆは、両方ともに片刃形状であっても良いし、両方ともに両刃形状であっても良い。また、メタルマスク３の二層目に形成される帯状の凸部５は、図１１に示すように、メタルマスク３の被印刷面側に縦横方向のライン開口パターン４に沿ってその両側に形成される。そして、この帯状の凸部５によって両側を挟まれたライン開口パターン４の下方には印刷材料である接着剤の通路となる凹部が形成されている。
【実施例５】
【００２４】
図１２はこの発明の実施例５におけるスクリーン印刷用メタルマスクの縦横方向のライン開口パターンの配置構造を示す要部拡大斜視図、図１３はスクリーン印刷用メタルマスクの縦横方向のライン開口パターンの配置形状を示す要部拡大平面図、図１４はスクリーン印刷用メタルマスクの二層構造を被印刷面側から見た要部拡大底面図である。
【００２５】
この発明によるスクリーン印刷用メタルマスクの縦横方向のライン開口パターン４は、図１２及び図１３に示すように、一方向のラインとこれと直交する他方向のラインが延びる方向に沿って１列等間隔に略矩形状又は略長方形状の開口４ｈが規則正しく複数個配置されている。この場合、一方向のラインとこれと直交する他方向のラインに形成される開口４ｈ、４ｉからなる縦横方向のライン開口パターン４は、図１２及び図１３に示すように、スキージの移動方向に対して一方向のラインを構成する開口４ｈ、４ｉが直交し、他方向のラインを構成する開口４ｈ、４ｉが平行となるように版枠の内側に張設されたスクリーン紗の中央部に固定するのが好ましい。しかし、一方向のラインと他方向のラインとが交差する部分は井桁形に交差している。この井桁形の交差部では、スクリーン印刷時の交差部における印刷材料の印刷量が他の部分よりも過剰に供給されないような考慮が払われている。すなわち、井桁形の交差部（交点）では、交差部以外の部分の開口部面積の約１／３〜１／４の開口部面積となるようにしている。ここでは、交差部の開口部面積を約１／３〜１／４にする方法として、井桁形の交差部では、井桁の４個所で十字形に交差するように配置されている。そして、４個の略矩形状又は略長方形状の開口の先端を先細にした略舟形状の開口４ｉにして十字形の交差部で所定の間隔を置いて四方向から突き合わせている。そして、このように井桁形の交差部の４個所で十字形に交差するように配置される４個の略矩形状又は略長方形状の開口の先端を先細にした略舟形状の開口４ｉにして十字形の交差部で所定の間隔を置いて四方向から突き合わせていることにより、スクリーン印刷時の交差部における印刷材料の印刷量が他の部分よりも過剰に供給されないように改善することができる。また、メタルマスク３の二層目に形成される帯状の凸部５は、図１４に示すように、メタルマスク３の被印刷面側に縦横方向のライン開口パターン４に沿ってその両側に形成される。そして、この帯状の凸部５によって両側を挟まれたライン開口パターン４の下方には印刷材料である接着剤の通路となる凹部が形成されている。
【符号の説明】
【００２６】
１  版枠
２  スクリーン紗
３  メタルマスク
４  ライン開口パターン
４ａ  略矩形状又は略長方形状の開口
４ｂ  直角三角形状の開口
４ｃ〜４ｄ  略長方形状の開口
４ｅ、４ｈ  略長方形状の開口
４ｆ〜４ｇ、４ｉ  略舟形状の開口
５  帯状の凸部
６ａ  二層目ブリッジ
６ｂ  二層目筋交いブリッジ
【図１】
0005602489.tif 000002
【図２】
0005602489.tif 000003
【図３】
0005602489.tif 000004
【図４】
0005602489.tif 000005
【図５】
0005602489.tif 000006
【図６】
0005602489.tif 000007
【図７】
0005602489.tif 000008
【図８】
0005602489.tif 000009
【図９】
0005602489.tif 000010
【図１０】
0005602489.tif 000011
【図１１】
0005602489.tif 000012
【図１２】
0005602489.tif 000013
【図１３】
0005602489.tif 000014
【図１４】
0005602489.tif 000015